(57)【要約】【課題】既設制御盤の周辺の空間部の大きさに制約を受ける場合でも、新設制御盤を設ける制御リニューアルを行うことが可能なエレベータの制御盤配設構造の提供。【解決手段】本発明は、制御盤のリニューアルに際し、既設制御盤１を利用して新設制御盤を設けるようにしたエレベータの制御盤配設構造において、新設制御盤の本体は、既設制御盤１の表面１ａに取り付けられ、それぞれ内部に制御回路が収納され分割された複数の筐体２〜５の組み合わせから成り、これらの筐体２〜５の制御回路を接続するフラットケーブル６，７を備えている。また本発明は、既設制御盤１の周囲に巻き付けられた帯状体８，９と、筐体２〜５のそれぞれに設けられた爪部２ｇ〜２ｊ等から成る係止部とを備え、筐体２〜５の係止部のそれぞれを帯状体８，９に係止させることによって、筐体２〜５のそれぞれを既設制御盤１の表面１ａに取り付けた構成にしてある。【選択図】図１
2015019503.tif 000002
【特許請求の範囲】
【請求項１】
制御盤のリニューアルに際し、既設制御盤を利用して新設制御盤を設けるようにしたエレベータの制御盤配設構造において、
前記新設制御盤の本体は、前記既設制御盤の表面に取り付けられ、それぞれ内部に制御回路が収納され分割された複数の筐体の組み合わせから成り、
前記複数の筐体のそれぞれの内部に収納された前記制御回路を接続するケーブルを備えたことを特徴とするエレベータの制御盤配設構造。
【請求項２】
請求項１に記載のエレベータの制御盤配設構造において、
前記既設制御盤の周囲に巻き付けられた帯状体と、前記複数の筐体のそれぞれに設けられた係止部とを備え、
前記複数の筐体の前記係止部のそれぞれを前記帯状体に係止させることによって、前記複数の筐体のそれぞれを前記既設制御盤の表面に取り付けたことを特徴とするエレベータの制御盤配設構造。
【請求項３】
請求項２に記載のエレベータの制御盤配設構造において、
前記係止部のそれぞれは、前記複数の筐体のそれぞれ対応するものの背面に形成された爪部から成ることを特徴とするエレベータの制御盤配設構造。
【請求項４】
請求項１〜３のいずれか１項に記載のエレベータの制御盤配設構造において、
前記複数の筐体のそれぞれは扉を有し、前記扉のそれぞれの両側部に、選択的に取り外されるヒンジ部を備えたことを特徴とするエレベータの制御盤配設構造。
【請求項５】
請求項１〜４のいずれか１項に記載のエレベータの制御盤配設構造において、
前記既設制御盤の制御回路に接続されるケーブルを前記筐体のいずれかの制御回路に接続したことを特徴とするエレベータの制御盤配設構造。
【発明の詳細な説明】
【技術分野】
【０００１】
本発明は、制御盤のリニューアルに際し、既設制御盤を利用して新設制御盤を設けるようにしたエレベータの制御盤配設構造に関する。
【背景技術】
【０００２】
エレベータにおいては、機器の経年劣化への対応や安全性の向上、あるいは省エネルギ等の性能向上を図るために、リニューアル工事が行われている。このエレベータのリニューアル工事は、交換部品の規模により、工事内容や工事期間が大幅に変化する。リニューアル工事の区分は、エレベータの構成機器を一式交換する全撤去リニューアル工事と、部分的に構成機器を残す準撤去リニューアル工事と、制御系のみを交換する制御リニューアル工事とがある。全撤去リニューアル工事と準撤去リニューアル工事は、工事期間が長期にわたり、費用も高くなる。さらに、これらのリニューアル工事では、工事期間の全般にわたってフロアの利用が制約されたり、エレベータを利用することができなくなるので、エレベータを利用する乗客の生活に多大の影響を与えてしまう。
【０００３】
一方、制御リニューアル工事は、制御盤などの制御系のみを交換する工事方法であるため、工事の規模は小さく、工事期間は短期間であり、費用も少なく抑えることができる。さらに新しい制御盤を設置することにより、既設制御盤におけるよりも消費電力を抑えることができ、エレベータの維持費用も低減できる。
【０００４】
従来の制御リニューアル工事においては、既設制御盤と機械室内埋設配線の設置工事が必要不可欠であった。この制御リニューアル工事を低価格で、かつ工事期間を短縮して実施するための技術として、特許文献１にエレベータの制御盤システムが開示されている。この特許文献１に開示された従来技術は、既設制御盤に隣接させて、床に当接する足を有する新設制御盤を配置し、既設制御盤と新設制御盤とを締結させるようにしたものである。これにより、既設制御盤の撤去作業が省略され、工事工数と費用の削減が期待される。
【先行技術文献】
【特許文献】
【０００５】
【特許文献１】特開２００７−６２９０１号公報
【発明の概要】
【発明が解決しようとする課題】
【０００６】
前述した特許文献１に示される従来技術では、既設制御盤の周辺に、新設制御盤を設置可能な広い空間部を必要としている。したがって、このような広い空間部が存在していない場合の制御リニューアルには適用できない問題があった。
【０００７】
なお、新設制御盤を設置する工事期間内においても、顧客の要望によりエレベータを稼働させ続けなければならない状態が発生し得る。特許文献１に示される従来技術では、既設制御盤に締結手段を取り付けるための穴あけ加工を行う必要がある。したがって、このような穴あけ加工の際に、金属粉や切りくずが既設制御盤内に落ちる可能性があり、最悪の場合には既設制御盤の電気回路や部品をショートさせてしまうなどの悪影響を与え、エレベータを稼働させられなくなる虞がある。
【０００８】
本発明は、前述した従来技術における実情からなされたもので、その目的は、既設制御盤の周辺の空間部の大きさに制約を受ける場合でも、新設制御盤を設ける制御リニューアルを行うことが可能なエレベータの制御盤配設構造を提供することにある。
【課題を解決するための手段】
【０００９】
前記目的を達成するために、本発明に係るエレベータの制御盤配設構造は、制御盤のリニューアルに際し、既設制御盤を利用して新設制御盤を設けるようにしたエレベータの制御盤配設構造において、前記新設制御盤の本体は、前記既設制御盤の表面に取り付けられ、それぞれ内部に制御回路が収納され分割された複数の筐体の組み合わせから成り、前記複数の筐体のそれぞれの内部に収納された前記制御回路を接続するケーブルを備えたことを特徴としている。
【発明の効果】
【００１０】
本発明に係るエレベータの制御盤配設構造は、新設制御盤の本体が、既設制御盤の表面にそれぞれ取り付けられる分割された複数の筐体の組み合わせから成ることから、既設制御盤の周辺の空間部の大きさに制約を受ける場合でも、新設制御盤を設ける制御リニューアルを行うことが可能となる。
【図面の簡単な説明】
【００１１】
【図１】本発明のエレベータの制御盤配設構造の一実施形態を示す斜視図である。
【図２】本実施形態に備えられる筐体の背面斜視図である。
【図３】本実施形態の組み立て動作を説明する図で、既設制御盤に本実施形態に備えられる帯状体を巻き付けた状態を示す正面斜視図である。
【図４】本実施形態の組み立て動作を説明する図で、既設制御盤に本実施形態に備えられる帯状体を巻き付けた状態を示す背面斜視図である。
【発明を実施するための形態】
【００１２】
以下、本発明に係るエレベータの制御盤配設構造の実施の形態を図面に基づいて説明する。
【００１３】
本実施形態に係る制御盤配設構造において設けられるエレベータの新設制御盤の本体は、図１に示すように、既設制御盤１に取り付けられ、それぞれの内部に電源、通信ケーブルを含む制御回路が収納され分割された複数の筐体、例えば４つの筐体２，３，４，５の組み合わせから成っている。筐体２と筐体５は、既設制御盤１の両側面の上側部分に取り付けてあり、筐体３と筐体４は、既設制御盤１の前面の上側部分に互いに隣接させて取り付けてある。
【００１４】
また、本実施形態は、複数の筐体２〜５のそれぞれの内部に収納された制御回路を接続するケーブルを備えている。例えば同図１に示すように、隣り合う筐体２の制御回路と筐体３の制御回路とを、フラットケーブル６，７で接続してある。
【００１５】
前述した筐体２は、内部を開閉する扉２ａと、この扉２ａの両側部に、選択的に取り外されるヒンジ部を備えている。図１においては、奥側に位置する側部に扉２ａを開閉可能に保持するヒンジ部２ｂ，２ｃを設けてある。手前側に位置する側部においては、ヒンジ部の取り外し箇所２ｄ，２ｅが形成されている。これにより、手前側から図１における右方向に向かって扉２ａが開くようになっている。
【００１６】
また筐体３も、内部を開閉する扉３ａと、この扉３ａの両側部に、選択的に取り外されるヒンジ部を備えている。同図１においては、右側の側部に扉３ａを開閉可能に保持するヒンジ部３ｂ，３ｃを設けてある。左側の側部においてヒンジ部の取り外し箇所３ｄ，３ｅが形成されている。これにより、既設制御盤１の前面の中央部分に相当する位置から右方向に向かって扉３ａが開くようになっている。
【００１７】
また筐体４も、内部を開閉する扉４ａと、この扉４ａの両側部に、選択的に取り外されるヒンジ部を備えている。同図１においては、左側の側部に扉４ａを開閉可能に保持するヒンジ部４ｂ，４ｃを設けてある。右側の側部において、ヒンジ部の取り外し箇所４ｄ，４ｅが形成され、既設制御盤１の前面の中央部分に相当する位置から左方向に向かって扉４ａが開くようになっている。
【００１８】
図１にあっては明確ではないが、筐体５も、筐体２〜４におけるのと同様の扉、ヒンジ部を備えており、またヒンジ部の取り外し箇所を形成してある。
【００１９】
また、本実施形態は、図３，４に示すように、既設制御盤１の周囲に巻き付けられ、ステンレスバンドやスチールバンド等から成る適度の剛性と可撓性とを有する帯状体８，９を備えている。これらの帯状体８，９は、図４に示すように、既設制御盤１の背部１ｂの締結部１０，１１において強固に締結されている。
【００２０】
例えば、前述した筐体２は図２に示すように、背面２ｆに帯状体８に係止される係止部、例えば筐体２の背面２ｆから切り起こし形成された爪部２ｇ，２ｈを設けてあり、また、帯状体９に係止される係止部、例えば筐体２の背面２ｆから切り起こし形成された爪部２ｉ，２ｊを設けてある。図示省略するが、筐体３，４，５のそれぞれの背面にも、爪部２ｇ，２ｈ、及び爪部２ｉ，２ｊと同様の爪部から成る係止部を設けてある。
【００２１】
また、本実施形態は、図１に示すように、既設制御盤１の制御回路に接続されるケーブル１２を、筐体２〜５のいずれかの制御回路に接続させてある。
【００２２】
このように構成した本実施形態に係るエレベータの制御盤配設構造が適用される制御リニューアル工事に際しては、図３，４に示すように、既設制御盤１の周囲に帯状体８，９を巻き付けて、締結部１０，１１においてそれぞれ締結することが行われる。
【００２３】
この状態において、筐体２の爪部２ｇ，２ｈ、及びこれらの爪部２ｇ，２ｈと対応する筐体３〜５の爪部のそれぞれを帯状体８に係止させ、筐体２の爪部２ｉ，２ｊ、及びこれらの爪部２ｉ，２ｊと対応する筐体３〜５の爪部のそれぞれを帯状体９に係止させることが行われる。これにより、筐体２〜５のそれぞれを既設制御盤１の表面１ａの上側部分に簡単に取り付けることができる。
【００２４】
このような状態において、フラットケーブル６，７等で各筐体２〜５内の制御回路を互いに接続することが行われ、また、既設制御盤１のフラットケーブル１２を、筐体２〜５内のいずれかの制御回路に接続することが行われる。したがって、制御リニューアルの工事中、あるいは制御リニュールの工事が終了した後には、既設制御盤１の制御回路、フラットケーブル１２を介して送信される信号に応じた筐体２〜５の制御回路の作動により、当該エレベータを駆動させることができる。
【００２５】
以上のように構成した本実施形態に係るエレベータの制御盤配設構造によれば、新設制御盤の本体が、既設制御盤１の表面１ａにそれぞれ取り付けられる分割された筐体２〜５から成ることから、既設制御盤１の周辺の空間部の大きさに制約を受ける場合でも、新設制御盤を設ける制御リニューアルを行うことが可能となる。
【００２６】
また、本実施形態は、既設制御盤１の周囲に巻き付けた帯状体８，９に、爪部２ｇ〜２ｊ等から成る各筐体２〜５の係止部を係止させて、各筐体２〜５を既設制御盤１の表面１ａに取り付けるようにしたことから、既設制御盤１に筐体２〜５を取り付けるための穴あけ加工等を要することなく既設制御盤１に筐体２〜５を取り付けることができる。これにより、既設制御盤１の内部に収納された制御回路の損傷やショートの発生を防ぐことができ、必要に応じてエレベータを稼働させることができる。
【００２７】
また、本実施形態は、帯状体８，９に筐体２〜５を取り付ける係止部が、筐体２〜５の背面において切り起こし形成した爪部２ｇ〜２ｊ等から成ることから、この係止部の形成が容易であり、また、係止部の形成に際しての部品数の増加を防ぐことができる。
【００２８】
また、本実施形態は、筐体２〜５の扉２ａ〜４ａ等の両側部に、選択的に取り外されるヒンジ部を備えたことから、筐体２〜５の扉２ａ〜４ａ等の開き方向を適切に考慮することにより、扉２ａ〜４ａ等を開いた際の扉２ａ〜４ａ等と、既設制御盤１の周囲に存在する機器、機材等との干渉を防ぐことができる。
【００２９】
また、本実施形態は、既設制御盤１の制御回路に接続されたフラットケーブル１２を、筐体２〜５のいずれかの制御回路に接続させてあることから、エレベータの駆動に際して、既設制御盤１の制御回路の有する機能も有効に活用させることができる。
【００３０】
なお、前述した実施形態は、既設制御盤１の両側面に筐体２，５を取り付け、前面に筐体３，４を取り付けてあるが、新設制御盤の本体を形成する筐体を、既設制御盤１の背部１ｂに取り付けるようにしてもよい。
【００３１】
また、前述した実施形態は、新設制御盤の本体を形成する筐体２〜５を既設制御盤１の表面１ａの上側部分に取り付けたが、これらの筐体２〜５を既設制御盤１の表面１ａの下側部分に取り付けてもよく、また、上側部分と下側部分の双方に分割して取り付けてもよい。
【００３２】
また、前述した実施形態は、既設制御盤１に巻き付けられる帯状体として２つの帯状体８，９を設けてあるが、筐体２〜５を堅固に取り付け得るものであれば単に１つの帯状体のみを設けてもよく、また、３つ以上の帯状体を設けるようにしてもよい。
【００３３】
また、前述した実施形態は、新設制御盤１の本体を形成する筐体として、４つの筐体２〜５を設けたが、新設制御盤の本体を２つに分割された筐体の組み合わせによって構成してもよく、また、３つに分割された筐体の組み合わせによって構成してもよく、また、５つ以上に分割された筐体の組み合わせによって構成してもよい。
【符号の説明】
【００３４】
１    既設制御盤
１ａ  表面
１ｂ  背部
２    筐体（本体）
２ａ  扉
２ｂ  ヒンジ部
２ｃ  ヒンジ部
２ｄ  取り外し箇所
２ｅ  取り外し箇所
２ｆ  背面
２ｇ  爪部（係止部）
２ｈ  爪部（係止部）
２ｉ  爪部（係止部）
２ｊ  爪部（係止部）
３    筐体（本体）
３ａ  扉
３ｂ  ヒンジ部
３ｃ  ヒンジ部
３ｄ  取り外し箇所
３ｅ  取り外し箇所
４    筐体（本体）
４ａ  扉
４ｂ  ヒンジ部
４ｃ  ヒンジ部
４ｄ  取り外し箇所
４ｅ  取り外し箇所
５    筐体（本体）
６    フラットケーブル
７    フラットケーブル
８    帯状体
９    帯状体
１０  締結部
１１  締結部
１２  フラットケーブル
【図１】
2015019503.tif 000003
【図２】
2015019503.tif 000004
【図３】
2015019503.tif 000005
【図４】
2015019503.tif 000006